(57)【要約】【課題】発電反応に伴ってＭＥＡの燃料極側で発生するガス成分の除去効率を高めることによって、燃料電池の出力特性等を向上させる。【解決手段】燃料電池は、膜電極接合体（ＭＥＡ）１２を備える起電部と、燃料を収容する燃料収容部と、燃料収容部に収容された燃料を膜電極接合体１２の燃料極に供給する燃料供給機構とを具備する。膜電極接合体１２は電解質膜１１を貫通するように設けられ、燃料極側に生じたガス成分を空気極側に逃がすガス抜き孔１７を有する。ガス抜き孔１７は膜電極接合体１２の温度分布に基づいて高温領域が密となるように配置されている。【選択図】図３
2010073607.tif 000002
【特許請求の範囲】
【請求項１】
燃料極と、空気極と、前記燃料極と前記空気極とに挟持された電解質膜とを有する膜電極接合体を備える起電部と、
液体燃料を収容する燃料収容部と、
前記燃料収容部から前記燃料極に燃料を供給する燃料供給機構とを具備し、
前記膜電極接合体は、少なくとも前記電解質膜を貫通するように設けられ、前記燃料極側に生じたガス成分を前記空気極側に逃がすガス抜き孔を有し、前記ガス抜き孔は前記膜電極接合体の温度分布に基づく高温領域の孔密度が低温領域の孔密度に対して密となるように配置されていることを特徴とする燃料電池。
【請求項２】
請求項１記載の燃料電池において、
前記起電部は前記電解質膜を介して配置された前記燃料極と前記空気極とで構成される単セルを複数有し、前記ガス抜き孔は前記単セル間に相当する前記電解質膜の部分に設けられていることを特徴とする燃料電池。
【請求項３】
請求項１または請求項２記載の燃料電池において、
前記ガス抜き孔は前記膜電極接合体の中心領域の孔密度が周辺領域の孔密度に対して密となるように配置されていることを特徴とする燃料電池。
【請求項４】
請求項１ないし請求項３のいずれか１項記載の燃料電池において、
前記膜電極接合体の中心領域に配置された前記ガス抜き孔は周辺領域に配置された前記ガス抜き孔より大きい孔径を有することを特徴とする燃料電池。
【請求項５】
請求項２ないし請求項４のいずれか１項記載の燃料電池において、
前記単セルの長手方向の中心線または前記長手方向と直交する方向の中心線を対象軸とした場合に、前記ガス抜き孔は線対称に配置されていることを特徴とする燃料電池。
【発明の詳細な説明】
【技術分野】
【０００１】
本発明は液体燃料を用いた燃料電池に関する。
【背景技術】
【０００２】
直接メタノール型燃料電池（Ｄｉｒｅｃｔ  Ｍｅｔｈａｎｏｌ  Ｆｕｅｌ  Ｃｅｌｌ：ＤＭＦＣ）は小型化が可能であり、さらに燃料の取り扱いも容易であるため、携帯用電子機器の電源や充電器として有望視されている。ＤＭＦＣにおける液体燃料の供給方式としては、気体供給型や液体供給型等のアクティブ方式、また燃料収容部内の液体燃料を電池内部で気化させて燃料極に供給する内部気化型等のパッシブ方式が知られている。
【０００３】
パッシブ型ＤＭＦＣにおいては、例えば燃料極（アノード）、電解質膜および空気極（カソード）を有する膜電極接合体（Ｍｅｍｂｒａｎｅ  Ｅｌｅｃｔｒｏｄｅ  Ａｓｓｅｍｂｌｙ：ＭＥＡ）を、燃料収容部上に配置した構造が適用されている。また、ＤＭＦＣの起電部と燃料収容部とを流路を介して接続することも検討されている。燃料収容部から直接もしくは流路を介して導入されたメタノール燃料等を電池内部で気化させて燃料極に供給する場合、ＭＥＡの燃料極側ではガス化した燃料を閉じ込めつつ、電池反応に基づいて生じる炭酸ガスや水蒸気等のガス成分を系外に放出する必要がある。
【０００４】
パッシブ型ＤＭＦＣでは、燃料極側の容器側面にガス抜き機構（内圧逃がし機構）を設け、ガス成分を系外に放出することが提案されている（特許文献１，２参照）。ＤＭＦＣの容器側面にガス抜き機構を設けた場合、発生したガス成分が周辺部から抜けていくことになるため、ＭＥＡの中央付近で生成したガス成分の除去性が低下するおそれがある。このようなことから、燃料極側で生じた炭酸ガスや水蒸気等のガス成分をＭＥＡ全体から系外に効率よく放出することが求められている。
【特許文献１】特開２００６−１０８０２８号公報
【特許文献２】特開２００６−３１８７１２号公報
【発明の開示】
【発明が解決しようとする課題】
【０００５】
本発明の目的は、発電反応に伴って燃料極側で発生するガス成分の放出効率を高めることによって、出力特性の向上等を図った燃料電池を提供することにある。
【課題を解決するための手段】
【０００６】
本発明の態様に係る燃料電池は、燃料極と、空気極と、前記燃料極と前記空気極とに挟持された電解質膜とを有する膜電極接合体を備える起電部と、液体燃料を収容する燃料収容部と、前記燃料収容部から前記燃料極に燃料を供給する燃料供給機構とを具備し、前記膜電極接合体は、少なくとも前記電解質膜を貫通するように設けられ、前記燃料極側に生じたガス成分を前記空気極側に逃がすガス抜き孔を有し、前記ガス抜き孔は前記膜電極接合体の温度分布に基づく高温領域の孔密度が低温領域の孔密度に対して密となるように配置されていることを特徴としている。
【発明の効果】
【０００７】
本発明の態様に係る燃料電池においては、燃料極側で発生するガス成分を膜電極接合体に設けたガス抜き孔から系外に放出する。さらに、ガス抜き孔は膜電極接合体の温度分布に基づいて配置されているため、ガス成分の系外への放出効率を高めることができる。従って、出力特性等を向上させた燃料電池を提供することが可能となる。
【発明を実施するための最良の形態】
【０００８】
以下、本発明を実施するための形態について、図面を参照して説明する。図１は本発明の実施形態による燃料電池の構成を示す断面図である。図１に示す燃料電池１は、膜電極接合体（ＭＥＡ）を備える起電部２と、起電部２に燃料を供給する燃料供給機構３と、液体燃料を収容する燃料収容部４とから主として構成されている。
【０００９】
起電部２は、アノード触媒層５とアノードガス拡散層６とを有するアノード（燃料極）７と、カソード触媒層８とカソードガス拡散層９とを有するカソード（空気極／酸化剤極）１０と、アノード触媒層５とカソード触媒層８とで挟持されたプロトン（水素イオン）伝導性の電解質膜１１とから構成される膜電極接合体（ＭＥＡ）１２を有している。
【００１０】
アノード触媒層５やカソード触媒層８に含有される触媒としては、例えばＰｔ、Ｒｕ、Ｒｈ、Ｉｒ、Ｏｓ、Ｐｄ等の白金族元素の単体、白金族元素を含有する合金等が挙げられる。アノード触媒層５にはメタノールや一酸化炭素等に対して強い耐性を有するＰｔ−ＲｕやＰｔ−Ｍｏ等を用いることが好ましい。カソード触媒層８にはＰｔやＰｔ−Ｎｉ等を用いることが好ましい。ただし、触媒はこれらに限定されるものではなく、触媒活性を有する各種の物質を使用することができる。触媒は炭素材料等の導電性担持体を使用した担持触媒、あるいは無担持触媒のいずれであってもよい。
【００１１】
アノード触媒層５に積層されるアノードガス拡散層６は、アノード触媒層５に燃料を均一に供給する役割を果たすと同時に、アノード触媒層５の集電機能を有するものである。カソード触媒層８に積層されるカソードガス拡散層９は、カソード触媒層８に酸化剤を均一に供給する役割を果たすと同時に、カソード触媒層８の集電機能を有するものである。アノードガス拡散層６やカソードガス拡散層９は、例えばカーボンペーパーやカーボンクロス等の導電性を有する多孔質基材で構成されている。
【００１２】
電解質膜１１を構成するプロトン伝導性材料としては、例えばスルホン酸基を有するパーフルオロスルホン酸重合体のようなフッ素系樹脂（ナフィオン（商品名、デュポン社製）やフレミオン（商品名、旭硝子社製）等）、スルホン酸基を有する炭化水素系樹脂等の有機系材料、あるいはタングステン酸やリンタングステン酸等の無機系材料が挙げられる。ただし、プロトン伝導性の電解質膜１１はこれらに限られるものではない。
【００１３】
上記したＭＥＡ１２をアノード集電体１３とカソード集電体１４とで挟み込むことによって、起電部２が構成される。アノードガス拡散層６はアノード集電体１３と積層され、カソードガス拡散層９はカソード集電体１４と積層されている。集電体１３、１４は燃料や空気を流通させる貫通孔を有している。集電体１３、１４にはＡｕやＮｉ等の導電性金属材料からなる多孔質層（例えばメッシュ）や箔体、あるいはステンレス鋼（ＳＵＳ）のような導電性金属材料にＡｕ等の良導電性金属を被覆した複合材等が用いられる。起電部２はＯリング等のシール部材１５でシールされており、ＭＥＡ１２からの燃料漏れや酸化剤漏れが防止されている。
【００１４】
起電部２は図２や図３に示すように、電解質膜１１を介して配置されたアノード（燃料極）７とカソード（空気極）１０とで構成される単セル１６を複数有している。これら複数の単セル１６は電解質膜１１の平面内に分離して配置され、かつ集電体１３、１４により電気的に接続されている。複数の単セル１６は直列に接続されている。単セル１６の数は任意であり、例えば３セル直列、４セル直列等の直列配置が適用される。
【００１５】
ＭＥＡ１２は少なくとも電解質膜１１を貫通するように設けられたガス抜き孔１７を有している。ガス抜き孔１７は発電反応に伴ってアノード７側に生じたガス成分（炭酸ガスや水蒸気等）をカソード１０側に逃がすための排気孔である。このようにＭＥＡ１２にガス抜き孔１７を設けることによって、アノード７側に生じたガス成分をカソード１０側に逃がすことができ、さらに燃料電池１の系外に放出することができる。ガス抜き孔１７はＭＥＡ１２の任意の位置に形成することができるため、ガス抜き孔１７の形成位置等に基づいてガス成分の放出効率を高めることが可能となる。
【００１６】
ガス抜き孔１７の孔径は５０μｍ以上２ｍｍ以下の範囲とすることが好ましい。ガス抜き孔１７の孔径が５０μｍ以下であると水蒸気の凝集による閉塞が生じやすくなり、ガス抜き効果を十分に得ることができないおそれがある。ガス抜き孔１７の孔径が２ｍｍ以上の場合、カソード１０側に直接透過する燃料の量が多くなり、局部的な加熱状態が生じやすくなる。このため、出力の安定性等が低下するおそれがある。ガス抜き孔１７の孔径は０．１〜１ｍｍの範囲とすることがより好ましい。
【００１７】
ガス抜き孔１７はＭＥＡ１２の各単セル１６、１６…間に相当する部分、具体的には電解質膜１１のみが存在する部分に設けられていることが好ましい。例えば、ガス抜き孔１７は単セル１６間に相当する電解質膜１１の部分に設けられている。さらに、ガス抜き孔１７は単セル１６の周囲に相当する電解質膜１１の部分にも形成することができる。ガス抜き孔１７は燃料電池１内の任意の位置に任意の数で設けることができるが、単セル１６間に相当する電解質膜１１の部分、あるいはそのような部分と単セル１６の周囲に相当する電解質膜１１の部分とに形成することが好ましい。ガス抜き孔１７の形成領域等については後に詳述する。
【００１８】
起電部２は例えば燃料拡散室１８を形成する容器１９上に配置されている。容器１９は上部が開口された箱状の形状を有している。このような容器１９の開口部側にＭＥＡ１２のアノード７が位置するように起電部２が配置される。容器１９内には燃料拡散材２０が配置されている。燃料拡散材２０は板状の多孔質材料等で形成されており、例えばポリエチレン、ポリプロピレン、ポリウレタン等からなる樹脂製多孔質板が用いられる。燃料拡散室１８と燃料拡散材２０とは、アノード７の面方向に燃料を分散並びに拡散させつつ供給する燃料供給部２１を構成するものである。
【００１９】
そして、燃料拡散材２０が配置された容器１９上に起電部２と保湿層２２とを積層し、その上から金属製（例えばステンレス製）のカバープレート２３を被せるように取り付けて全体を保持することで、燃料電池（ＤＭＦＣ）１の発電ユニットが構成されている。保湿層２２はカソード触媒層８で生成された水の一部が含浸されて水の蒸散を抑制すると共に、カソード触媒層８への空気の均一拡散を促進するものである。保湿層２２は保湿性を有する多孔質部材（例えば樹脂製多孔質板）で形成される。カバープレート２３は起電部２をカソード１０側から保持するものであり、空気導入用の開口部２３ａを有している。開口部２３ａは複数の単セル１６、１６…の部分に対応するように設けられている。
【００２０】
燃料拡散材２０は容器１９に設けられた燃料注入部２４と接している。燃料注入部２４は配管のような液体燃料の流路２５を介して燃料収容部４と接続されている。燃料収容部４にはＭＥＡ１２に応じた液体燃料が収容されている。液体燃料としては、各種濃度のメタノール水溶液や純メタノール等のメタノール燃料が挙げられる。液体燃料はこれに限られるものではない。液体燃料はエタノール水溶液や純エタノール等のエタノール燃料、プロパノール水溶液や純プロパノール等のプロパノール燃料、グリコール水溶液や純グリコール等のグリコール燃料、ジメチルエーテル、ギ酸、その他の液体燃料であってもよい。
【００２１】
流路２５にはポンプ２６が介在されている。ポンプ２６は燃料を循環させる循環ポンプではなく、あくまでも燃料収容部４から燃料供給部２１に液体燃料を送液する燃料供給ポンプである。燃料供給部２１からＭＥＡ１２に供給された燃料は発電反応に使用され、その後に循環して燃料収容部４に戻されることはない。燃料電池１は燃料を循環しないことから、従来のアクティブ方式とは異なるものであり、装置の小型化等を損なうものではない。液体燃料の供給にポンプ２６を使用しており、従来の内部気化型のような純パッシブ方式とも異なる。燃料電池１はセミパッシブ型と呼称される方式を適用したものである。
【００２２】
ポンプ２６の種類は特に限定されるものではないが、少量の液体燃料を制御性よく送液することができ、さらに小型軽量化が可能という観点から、ロータリーベーンポンプ、電気浸透流ポンプ、ダイアフラムポンプ、しごきポンプ等を使用することが好ましい。ロータリーベーンポンプはモータで羽を回転させて送液するものである。電気浸透流ポンプは電気浸透流現象を起こすシリカ等の焼結多孔体を用いたものである。ダイアフラムポンプは電磁石や圧電セラミックスによりダイアフラムを駆動して送液するものである。しごきポンプは柔軟性を有する燃料流路の一部を圧迫し、燃料をしごき送るものである。
【００２３】
燃料電池１においては、ポンプ２６を用いて燃料収容部４から燃料供給部２１に液体燃料が間欠的に送液される。ポンプ２６で送液された液体燃料は燃料拡散材２０内を速やかに面方向に展開し、燃料拡散室１８を介してＭＥＡ１２のアノード（燃料極）７の全面に対して均一に供給される。すなわち、複数の単セル１６、１６…の各アノード（燃料極）７の平面方向に対して均一に燃料が供給され、これにより発電反応が生起される。燃料供給用（送液用）のポンプ２６の運転動作は、燃料電池１の出力、温度情報、電力供給先である電子機器の運転情報等に基づいて制御することが好ましい。
【００２４】
燃料供給部２１から放出された燃料は、ＭＥＡ１２のアノード（燃料極）７に供給される。ＭＥＡ１２内において、燃料はアノードガス拡散層６を拡散してアノード触媒層５に供給される。液体燃料としてメタノール燃料を用いた場合、アノード触媒層５で下記の式（１）に示すメタノールの内部改質反応が生じる。なお、メタノール燃料として純メタノールを使用した場合には、カソード触媒層８で生成した水や電解質膜１１中の水をメタノールと反応させて式（１）の内部改質反応を生起させる。あるいは、水を必要としない他の反応機構により内部改質反応を生じさせる。
ＣＨ３ＯＨ＋Ｈ２Ｏ  →  ＣＯ２＋６Ｈ+＋６ｅ-  …（１）
【００２５】
この反応で生成した電子（ｅ-）は集電体１３を経由して外部に導かれ、いわゆる電気として携帯用電子機器等を動作させた後、集電体１４を経由してカソード（空気極）１０に導かれる。式（１）の内部改質反応で生成したプロトン（Ｈ+）は電解質膜１１を経てカソード１０に導かれる。カソード１０には酸化剤として空気が供給される。カソード１０に到達した電子（ｅ-）とプロトン（Ｈ+）は、カソード触媒層８で空気中の酸素と下記の式（２）にしたがって反応し、この反応に伴って水が生成する。
６ｅ-＋６Ｈ+＋（３／２）Ｏ２  →  ３Ｈ２Ｏ  …（２）
【００２６】
この実施形態の燃料電池１において、上述した発電反応に伴ってアノード７側で発生した炭酸ガスや水蒸気等のガス成分は、ＭＥＡ１２に設けられたガス抜き孔１７を介してカソード１０側に逃がされ、さらには保湿層２２およびカバープレート２３の開口部２３ａを介して燃料電池１の系外に放出される。ガス成分の系外への放出性を向上させる上で、保湿層２２はガス抜き孔１７の形成位置に対応する貫通孔（図示せず）を有することが好ましい。保湿層２２の貫通孔はカバープレート２３との干渉を避けるために、ＭＥＡ１２のガス抜き孔１７より大きい孔径を有することが好ましい。
【００２７】
ここで、燃料電池１では発電反応に伴ってＭＥＡ１２に温度分布が生じる。具体的には、平面内で直列接続された複数の単セル１６を有するＭＥＡ１２では中心領域が高温領域となり、それに対して周辺領域は低温領域となる。図３において、線Ｘで囲まれた領域（領域Ｘ）は高温領域となる中心領域を示している。これに対して、中心領域Ｘより外側の周辺領域は低温領域となる。高温領域と低温領域との温度差は燃料電池１の運転条件等によっても異なるが、例えば５〜１０℃程度の温度差が生じる。
【００２８】
高温領域となる中心領域では反応が促進されるため、炭酸ガス等のガス成分の排出量も増大する。一方、低温領域となる周辺領域では反応が低下し、炭酸ガス等のガス成分の排出量も高温領域に比べて少ない。このように、ＭＥＡ１２の温度分布（高温領域と低温領域）に基づいてガス成分の排出量に差が生じる。図４は低温領域となる周辺領域のみにガス抜き孔１７を形成した状態を示している。このようなガス抜き孔１７の配置を適用した場合、ガス成分の排出量が多い高温領域からのガス成分の除去効率が低下し、その結果としてＭＥＡ１２全体としてのガス放出効率も低下する。
【００２９】
そこで、この実施形態の燃料電池１においては、ＭＥＡ１２の温度分布に基づく高温領域の孔密度（単位面積当たりのガス抜き孔１７の個数）が低温領域の孔密度に対して密となるように、ＭＥＡ１２に対してガス抜き孔１７を形成している。図３は高温領域のみにガス抜き孔１７を形成したＭＥＡ１２を示している。このように、ガス抜き孔１７を高温領域のみに形成した場合においても、ガス成分の排出量が多い領域から炭酸ガス等のガス成分を有効に逃がすことができるため、ＭＥＡ１２全体としてのガス放出効率を向上させることが可能となる。
【００３０】
図３は高温領域（中心領域）のみにガス抜き孔１７を形成した状態を示したが、ガス抜き孔１７の配置はこれに限られるものではない。ＭＥＡ１２全体としてのガス放出効率を考慮した場合、低温領域（周辺領域）にもガス抜き孔１７を形成した方が有効な場合がある。そのような場合においても、高温領域のガス抜き孔１７の形成密度（孔密度）が低温領域のガス抜き孔１７の形成密度より大きくなるようにガス抜き孔１７を配置する。これによって、高温領域で発生するガス成分を効率よく系外に排出することができる。
【００３１】
さらに、高温領域（中心領域）に形成するガス抜き孔１７の孔径を低温領域（周辺領域）に形成するガス抜き孔１７の孔径より大きくすることも有効である。このような孔径を異ならせたガス抜き孔１７によっても、ガス成分の放出効率を高めることができる。孔径が異なるガス抜き孔１７は、高温領域と低温領域とに形成する場合に限られるものではない。高温領域のみにガス抜き孔１７を形成する場合においても、より中心に近い領域に形成するガス抜き孔１７の孔径をそれ以外の領域に形成するガス抜き孔１７の孔径より大きくすることも有効である。この場合にもガス成分の放出効率が向上する。
【００３２】
ガス抜き孔１７の孔径の差はガス放出量等を考慮して設定することが好ましい。具体的な孔径差としては、例えば小孔径のガス抜き孔１７の孔径を１としたとき、大孔径のガス抜き孔１７の孔径は１を超え２以下の範囲とすることが好ましい。小孔径のガス抜き孔１７に対する大孔径のガス抜き孔１７の孔径比が１以下であると、孔径差に基づくガス成分の放出効率の向上効果を十分に得ることができないおそれがある。一方、孔径比が２を超えると不要なガス成分である炭酸ガス等だけでなく、未反応の燃料までもが排出される、いわゆるクロスオーバーが増大するおそれがある。なお、このような孔径差を適用する場合においても、大孔径および小孔径のガス抜き孔１７のいずれの孔径も５０μｍ以上２ｍｍ以下の範囲とすることが好ましい。
【００３３】
複数の単セル１６を有するＭＥＡ１２において、ガス抜き孔１７は単セル１６の長手方向の中心線を対象軸とした場合に線対称に配置されていることが好ましい。あるいは、ガス抜き孔１７は単セル１６の長手方向と直交する方向の中心線を対象軸とした場合に線対称に配置されていることが好ましい。さらに、ガス抜き孔１７は単セル１６の長手方向の中心線およびそれと直交する方向の中心線のいずれに対しても線対称に配置されていることが好ましい。このようなガス抜き孔１７の配置を適用することによって、ＭＥＡ１２全体としてのガス成分の放出効率を向上させることが可能となる。
【００３４】
ＭＥＡ１２の温度分布に基づく高温領域および低温領域は、燃料電池１の構成や運転条件等に基づいて設定されるものであり、必ずしも限定されるものではない。また、高温領域のガス抜き孔１７はその形成密度が低温領域におけるガス抜き孔１７の形成密度より高くなるように設定されていればよい。例えば、ガス抜き孔１７の形成密度として、低温領域のガス抜き孔１７の総開口面積に対する高温領域のガス抜き孔１７の総開口面積の比が１：１を超えて１：４以下の範囲とすることが好ましい。
【００３５】
上記した開口面積比が１：１以下では、ＭＥＡ１２の高温領域における炭酸ガス等の濃度を低減または抑制する効果が低下してしまう。逆に開口面積比が１：４を超えると、ガス抜き孔１７を通って未反応の燃料がカソード１０側へ排出される、いわゆるクロスオーバーが増大する。さらに好ましくは開口面積の比を１：１超えて１：２以下の範囲とする。特に容器１９からアノード７の主面全体に燃料供給口を配置した構造では単位面積当たりの燃料供給量が増大するため、未反応燃料のクロスオーバー量を抑制することが好ましい。高温領域のガス抜き孔１７でＭＥＡ１２全体としてのガス放出性を満たすことが可能であれば、低温領域にはガス抜き孔１７を形成しなくてもよい。
【００３６】
図５にＭＥＡ１２の温度分布の一例を示す。図５は４個の単セル１６（第１ないし第４の単セル１６Ａ、１６Ｂ、１６Ｃ、１６Ｄ）を直列に接続したセル構造（４セル直列構造）を有するＭＥＡ１２を示している。各単セル１６の面積は８００ｍｍ２（１０×８０ｍｍ）であり、セルの合計面積は３２００ｍｍ２である。このようなＭＥＡ１２を用いて燃料電池（ＤＭＦＣ）１を組み立てると共に、液体燃料として純メタノールを使用して、２５℃の環境下で動作させた場合のＤＭＦＣ１の温度分布を測定した。
【００３７】
上述したＭＥＡ１２を有する燃料電池（ＤＭＦＣ）１において、単セル１６の長手方向に沿った中心線を基準とした場合に、中心付近に位置する第２および第３の単セル１６Ｂ、１６Ｃの温度は５４〜５５℃であったのに対し、外側に位置する第１および第４の単セル１６Ａ、１６Ｄの温度は５０℃未満であった。図５に示すＭＥＡ１２を備える燃料電池（ＤＭＦＣ）１において、第２および第３の単セル１６Ｂ、１６Ｃが高温領域、第１および第４の単セル１６Ａ、１６Ｄが低温領域となる。
【００３８】
第２および第３の単セル１６Ｂ、１６Ｃが高温領域、第１および第４の単セル１６Ａ、１６Ｄが低温領域となるＭＥＡ１２に対して、図６に示すような３個のガス抜き孔１７を形成した。図６は第１の実施例によるＭＥＡ１２を示している。単セル１６の長手方向に沿った中心線を基準とし、この中心線の中心位置に孔径が１ｍｍの第１のガス抜き孔１７Ａを形成する。第１のガス抜き孔１７Ａは第２の単セル１６Ｂと第３の単セル１６Ｃとの間に相当する電解質膜１１に形成されている。
【００３９】
さらに、第１の単セル１６Ａと第２の単セル１６Ｂとの間に相当する電解質膜１１に第２のガス抜き孔１７Ｂを形成し、第３の単セル１６Ｃと第４の単セル１６Ｄとの間に相当する電解質膜１１に第３のガス抜き孔１７Ｃを形成する。第２および第３のガス抜き孔１７Ｂ、１７Ｃの孔径は０．５ｍｍである。第１のガス抜き孔１７Ａの第２および第３のガス抜き孔１７Ｂ、１７Ｃに対する孔径比は２である。第１ないし第３のガス抜き孔１７Ａ〜１７Ｃは長手方向の中心線と直交する方向の中心線に沿って配列されており、長手方向およびそれと直交する方向のいずれに対しても対称に配置されている。
【００４０】
また、第２および第３の単セル１６Ｂ、１６Ｃが高温領域、第１および第４の単セル１６Ａ、１６Ｄが低温領域となるＭＥＡ１２に対して、図７に示すような３個のガス抜き孔１７を形成した。図７は第２の実施例によるＭＥＡ１２を示している。単セル１６の長手方向に沿った中心線を基準とし、この中心線の中心位置に孔径が１ｍｍの第１のガス抜き孔１７Ａを形成する。第１のガス抜き孔１７Ａは第２の単セル１６Ｂと第３の単セル１６Ｃとの間に相当する電解質膜１１に形成されている。
【００４１】
さらに、単セル１６の長手方向の中心線上における両端近傍に第２および第３のガス抜き孔１７Ｂ、１７Ｃを形成する。第２および第３のガス抜き孔１７Ｂ、１７Ｃはいずれも第２の単セル１６Ｂと第３の単セル１６Ｃとの間に相当する電解質膜１１に形成されている。第２および第３のガス抜き孔１７Ｂ、１７Ｃの孔径は０．５ｍｍである。第１のガス抜き孔１７Ａの第２および第３のガス抜き孔１７Ｂ、１７Ｃに対する孔径比は２である。第１ないし第３のガス抜き孔１７Ａ〜１７Ｃは長手方向に対して対称に配置されている。
【００４２】
図８は比較例によるＭＥＡ１２を示している。図８に示すＭＥＡ１２は、第１の単セル１６Ａと第２の単セル１６Ｂとの間に相当する電解質膜１１に第１および第２のガス抜き孔１７Ａ、１７Ｂが形成されており、第３の単セル１６Ｃと第４の単セル１６Ｄとの間に相当する電解質膜１１に第３および第４のガス抜き孔１７Ｃ、１７Ｄが形成されている。各ガス抜き孔１７Ａ〜１７Ｄはそれぞれ周辺領域に設けられている。第１ないし第４のガス抜き孔１７Ａ〜１７Ｄの孔径はいずれも０．５ｍｍである。
【００４３】
第１の実施例（図６）、第２の実施例（図７）、および比較例（図８）によるＭＥＡ１２を用いて、それぞれ図５に温度分布を示した燃料電池（ＤＭＦＣ）１を組み立て、これらを液体燃料として純メタノールを使用して２５℃の環境下で動作させ、その際の燃料電池内の各部位における炭酸ガス（ＣＯ２）濃度を測定した。ＣＯ２濃度の測定部位はカソードガス拡散層９、保湿層２２、カバープレート２３の開口部２３ａとし、これら各部位の面内濃度を測定した。測定結果を表１に示す。表１のＣＯ２濃度の測定結果は比較例１のカソードガス拡散層９におけるＣＯ２濃度を１００とした場合の相対値である。
【００４４】
【表１】
2010073607.tif 000003
【００４５】
表１から明らかなように、第１および第２の実施例２の燃料電池はいずれも比較例１に比べて各部の炭酸ガス（ＣＯ２）濃度が低く、比較例に比べてガス放出性に優れていることが分かる。また、各例の出力を測定したところ、実施例の燃料電池は比較例と比べて出力特性が向上していることが確認された。
【００４６】
この実施形態の燃料電池１においては、アノード７側で発生した炭酸ガスや水蒸気等のガス成分をカソード１０側に逃がすガス抜き孔１７をＭＥＡ１２に設けると共に、ＭＥＡ１２の温度分布に基づいて高温領域にガス抜き孔１７を密に配置している。これによって、ガス放出量が多い高温領域からガス成分を効率よく系外に放出することができ、ひいてはＭＥＡ１２全体としてのガス放出効率を高めることができる。従って、燃料電池１の出力特性等を向上させることが可能となる。
【００４７】
上述した実施形態では燃料を面方向に分散させつつ供給する燃料供給部２１として、燃料拡散室１８内に配置した燃料拡散材２０を適用しているが、燃料供給部２１の構成はこれに限られるものではない。燃料供給部２１は例えば図９および図１０に示すように、燃料注入口３１と複数の燃料排出口３２とを細管３３のような燃料通路で接続した燃料分配板３４で構成することも可能である。
【００４８】
図９および図１０に示す燃料供給部２１は、液体燃料が流入する少なくとも１個の燃料注入口３１と、液体燃料もしくはその気化成分を排出する複数個の燃料排出口３２とを有する燃料分配板３４を備えている。燃料分配板３４の内部には、液体燃料の通路として機能する細管３３が形成されている。細管３３の一端（始端部）には燃料注入口３１が設けられている。細管３３は途中で複数に分岐しており、これら分岐した細管３３の各終端部に燃料排出口３２がそれぞれ設けられている。
【００４９】
さらに、上述した実施形態は本発明をセミパッシブ型の燃料電池に適用した場合について説明したが、本発明はこれに限られるものではない。金属多孔質体２７を備えるカバープレート２３は純パッシブ型の燃料電池に対しても適用可能である。本発明はパッシブ型やセミパッシブ型等の燃料電池に適用することができる。これらの燃料電池において、ガス成分の系外への放出性や放出効率を高めることが可能となる。
【００５０】
なお、本発明は液体燃料を使用した各種の燃料電池に適用することができる。また、燃料電池の具体的な構成や燃料の供給状態等も特に限定されるものではなく、ＭＥＡに供給される燃料の全てが液体燃料の蒸気、全てが液体燃料、または一部が液体状態で供給される液体燃料の蒸気等、種々形態に本発明を適用することができる。実施段階では本発明の技術的思想を逸脱しない範囲で構成要素を変形して具体化することができる。さらに、上記実施形態に示される複数の構成要素を適宜に組合せたり、また実施形態に示される全構成要素から幾つかの構成要素を削除する等、種々の変形が可能である。
【図面の簡単な説明】
【００５１】
【図１】本発明の実施形態による燃料電池の構成を示す断面図である。
【図２】図１に示す燃料電池の起電部を示す断面図である。
【図３】図２に示す起電部の平面図である。
【図４】比較例としての起電部を示す平面図である。
【図５】燃料電池における温度分布の一例を示す平面図である。
【図６】第１の実施例によるガス抜き孔の配置を示す平面図である。
【図７】第２の実施例によるガス抜き孔の配置を示す平面図である。
【図８】比較例によるガス抜き孔の配置を示す平面図である。
【図９】本発明の燃料電池に用いられる燃料供給部の他の例を示す斜視図である。
【図１０】図９に示す燃料供給部の平面図である。
【符号の説明】
【００５２】
１…燃料電池、２…起電部、３…燃料供給機構、４…燃料収容部、５…アノード触媒層、６…アノードガス拡散層、７…アノード（燃料極）、８…カソード触媒層、９…カソードガス拡散層、１０…カソード（空気極）、１１…電解質膜、１２…ＭＥＡ、１３…アノード集電体、１４…カソード集電体、１７…ガス抜き孔、１８…燃料拡散室、１９…容器、２０…燃料拡散材、２１…燃料供給部、２２…保湿層、２３…カバープレート。
【図１】
2010073607.tif 000004
【図２】
2010073607.tif 000005
【図３】
2010073607.tif 000006
【図４】
2010073607.tif 000007
【図５】
2010073607.tif 000008
【図６】
2010073607.tif 000009
【図７】
2010073607.tif 000010
【図８】
2010073607.tif 000011
【図９】
2010073607.tif 000012
【図１０】
2010073607.tif 000013